(57)【要約】【課題】  本発明の目的は、歌詞データを表示する情報処理装置を提供することである。【解決手段】    演奏機器から楽曲情報を受信する第１の無線部（２１０）と、前記楽曲情報に歌詞データが存在するか解析する解析部（Ｓ２３０）と、前記楽曲情報に歌詞データが存在しないと判断すると、前記楽曲情報に対応する歌詞データをサーバに要求する第２の無線部（２３０）と、前記サーバから受信した歌詞データを記録する記録部（２４０）と、前記記録部に記録された歌詞データを表示する表示部（２２０）とを備える情報処理装置。【選択図】  図１
2006106039.tif 000002
【特許請求の範囲】
【請求項１】
演奏機器から楽曲情報を受信する第１の無線部と、
前記楽曲情報に歌詞データが存在するか解析する解析部と、
前記楽曲情報に歌詞データが存在しないと判断すると、前記楽曲情報に対応する歌詞データをサーバに要求する第２の無線部と、
前記サーバから受信した歌詞データを記録する記録部と、
前記記録部に記録された歌詞データを表示する表示部と
を備える情報処理装置。
【請求項２】
前記第２の無線部の通信範囲は前記第１の無線部の通信範囲よりも広域であることを特徴とする請求項１記載の情報処理装置。
【請求項３】
前記表示部は、前記演奏機器による楽曲演奏と同期を取って、前記記録部に記録された歌詞データを表示することを特徴とする請求項１記載の情報処理装置。
【発明の詳細な説明】
【技術分野】
【０００１】
本発明は、情報処理装置に関し、特に、携帯型デジタルオーディオプレーヤー等の表示ディスプレイが小さい演奏機器で演奏される音楽の歌詞データを表示する情報処理装置に関する。
【背景技術】
【０００２】
音楽の演奏に同期して歌詞を表示する方法の一例として、カラオケ装置における楽曲演奏に同期した歌詞を携帯型ブラウザ端末に表示する方法がある。
【０００３】
この表示方法は、カラオケ会場におけるディスプレイの設置環境や歌唱者の視力などに依存することなく、歌詞が確認できるようにする。
【０００４】
このため、従来のカラオケ装置では、携帯電話機に歌詞データを記憶しているか問い合わせる。存在しない場合、カラオケ装置は携帯電話機にＵＲＬ(Uniform Resource Locator)情報を送る。携帯電話機はこのＵＲＬ情報をもとにサーバにアクセスし、歌詞データをダウンロードし、表示する（例えば特許文献１参照）。
【特許文献１】特開２００３−１５６６８号公報（第５頁、図２）
【発明の開示】
【発明が解決しようとする課題】
【０００５】
しかし、携帯端末に歌詞データが存在しない場合、存在しない旨をカラオケ装置に通知するよりも、すぐにサーバにアクセスして歌詞データをダウンロードした方がユーザにとって使い勝手が良い。
【０００６】
本発明の目的は、上述した点を考慮して、歌詞データを表示する情報処理装置を提供することである。
【課題を解決するための手段】
【０００７】
第１の発明は、演奏機器から楽曲情報を受信する第１の無線部と、前記楽曲情報に歌詞データが存在するか解析する解析部と、前記楽曲情報に歌詞データが存在しないと判断すると、前記楽曲情報に対応する歌詞データをサーバに要求する第２の無線部と、前記サーバから受信した歌詞データを記録する記録部と、前記記録部に記録された歌詞データを表示する表示部とを備える情報処理装置である。
【０００８】
第２の発明は、前記第２の無線部の通信範囲は前記第１の無線部の通信範囲よりも広域であることを特徴とする第１の発明記載の情報処理装置である。
【０００９】
第３の発明は、前記表示部は、前記演奏機器による楽曲演奏と同期を取って、前記記録部に記録された歌詞データを表示することを特徴とする第１の発明記載の情報処理装置である。
【発明の効果】
【００１０】
本発明によれば、歌詞データを表示する情報処理装置を提供することができる。
【発明を実施するための最良の形態】
【００１１】
以下、本発明の実施の形態について図面を参照しながら説明する。
【００１２】
図１は、本実施形態に係る歌詞データ表示システムの概略構成図である。ここでは一例として、演奏装置１００として携帯型デジタルオーディオプレーヤーを、携帯端末２００としてＰＤＡ(Personal Digital Assistant)を、サーバ３００として音楽データ配信サーバを挙げて説明する。
【００１３】
演奏機器１００は、Ｂｌｕｅｔｏｏｔｈ（登録商標、以下省略）に対応した狭域無線通信部１１０と、ＨＤＤ(Hard Disk Drive)等の記録部１２０と、ＨＤＤに記録されている楽曲データ（例えば）を解析する解析部１３０と、楽曲データを再生する再生部１４０と、再生された音楽を出力するヘッドホン１５０と、解析された楽曲データの曲名や歌手名を表示する表示部１６０とを備えている。通常、携帯型デジタルオーディオプレーヤーの表示部１６０は小さく、楽曲名、アーティスト名など２行程度の文字データしか表示できない。このため、再生している楽曲データの歌詞を表示するのには向いていない。
【００１４】
そこで、本実施形態では、表示スペースの比較的大きな携帯端末を利用する。携帯端末２００は、Ｂｌｕｅｔｏｏｔｈに対応した狭域無線通信部２１０と、歌詞データを表示する表示部２２０と、無線ＬＡＮ(Local Area Network)に対応した広域無線通信部２３０と、ＳＤ(Secure Digital)メモリカード等の記録部２４０と、端末全体の制御を実行するＣＰＵ(Central Processing Unit)２５０を備える。ＰＤＡ等の携帯端末の表示部２２０は携帯型デジタルオーディオプレーヤーの表示部１６０よりも表示スペースが大きく、１０行以上の文字データを表示することができる。このため、ＰＤＡ等の表示部に歌詞データを表示させた方がユーザには見やすくなる。
【００１５】
サーバ３００は、無線ＬＡＮに対応した広域無線通信部３１０と、歌詞データを記録している記録部３２０とを備えている。
【００１６】
図２は、本実施形態に係る歌詞データ表示方法のフローチャートである。ここでは、携帯端末２００とサーバ３００とは予め契約しており、サーバ３００のＵＲＬ情報を携帯端末２００が保持していることを前提に説明する。
【００１７】
演奏機器１００と携帯端末２００とは予めＢｌｕｅｔｏｏｔｈ通信接続されている（Ｓ２００）。そして、演奏機器１００は楽曲情報を解析し（Ｓ２１０）、楽曲情報パケットを携帯端末２００に送信する（Ｓ２２０）。図３は、楽曲情報パケットの一例を示す構成図である。楽曲情報パケットには、送信用ヘッダ情報に続いて、（１）アーティスト名、（２）曲名情報、（３）楽曲ＩＤ、（４）歌詞データで構成されている。また、各データの長さは一定ではないため、ヘッダに、ヘッダ情報が書き込むバイト数が指定されている。
【００１８】
そして、携帯端末２００のＣＰＵ２５０では、送られてきた楽曲情報に歌詞データが存在するか確認する（Ｓ２３０）。存在する場合は、演奏機器１００と同期をとる（Ｓ２４０）。演奏機器１００が演奏を開始する（Ｓ２５０）と同時に、携帯端末２００には歌詞データが表示される（Ｓ２６０）。以降は、演奏と同期して歌詞データがスクロール表示されても良いし、ユーザが手動でスクロールしても良い。
【００１９】
一方、解析した結果（Ｓ２４０）、歌詞データが存在しない場合は、携帯端末２００は音楽データ配信用のサーバ３００にすぐに無線ＬＡＮ接続を実行する（Ｓ２７０）。そして、楽曲ＩＤをサーバ３００に送信する（Ｓ２８０）。すると、サーバ３００は、この楽曲ＩＤに対応する歌詞データを送信する（Ｓ２９０）。歌詞データのダウンロードが完了すると、携帯端末２００は歌詞データを記録部２４０に記録し、無線ＬＡＮ接続を切断し、上述したＳ２４０からＳ２６０の処理を実行する。
【００２０】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、携帯端末としては、ＰＤＡのみならず、携帯電話機であっても良い。また、狭域無線通信部としてはＢｌｕｅｔｏｏｔｈのみならず、赤外線通信に対応していても良い。加えて、広域無線通信部としては、無線ＬＡＮのみならず、携帯電話等の公衆網に対応していても良い。
【図面の簡単な説明】
【００２１】
【図１】本実施形態に係る歌詞データ表示システムの概略構成図。
【図２】本実施形態に係る歌詞データ表示方法のフローチャート。
【図３】楽曲情報パケットの一例を示す構成図。
【符号の説明】
【００２２】
１００  演奏機器
１１０  狭域無線通信部
１２０  記録部
１３０  解析部
１４０  再生部
１５０  ヘッドホン
１６０  表示部
２００  携帯端末
２１０  狭域無線通信部
２２０  表示部
２３０  広域無線通信部
２４０  記録部
２５０  ＣＰＵ
３００  サーバ
３１０  広域無線通信部
３２０  記録部
【図１】
2006106039.tif 000003
【図２】
2006106039.tif 000004
【図３】
2006106039.tif 000005